(57)【要約】【課題】苗木又は若木などの樹木の苗が鹿、ウサギ、猪、ネズミ等の野生動物に食されることを防止する苗木等保護具であって、積雪の重みにも苗木等に負荷を掛けない保形性を有し、さらに持ち運ぶことが容易でありながら作業現場において容易に成形することができる苗木等保護具を提供することを目的とする。【解決手段】  網目を有し縦長筒状又は略円錐台状である形状を有する保護ネット１と、前記保護ネットに螺旋状に固定されている支持材２とを有することを特徴とする苗木等保護具Ｉ、また、保護ネット１の一端部に固定された第一リング３と、保護ネット１の他端部に固定された第二リング４と、を有し、支持材２、第一リング３及び第二リング４が一体となっていることを特徴とする前記の苗木等保護具Ｉにより解決することができた。【選択図】図１
2014161302.tif 000002
【特許請求の範囲】
【請求項１】
網目を有し縦長筒状又は略円錐台状である形状を有する保護ネットと、
前記保護ネットに螺旋状に固定されている支持材と
を有することを特徴とする苗木等保護具。
【請求項２】
前記保護ネットの一端部に固定された第一リングと、
前記保護ネットの他端部に固定された第二リングと、を有し、
前記支持材、前記第一リング及び前記第二リングが一体となっていることを特徴とする請求項１に記載の苗木等保護具。
【請求項３】
前記支持材が前記保護ネットの内側に固定されていることを特徴とする請求項１又は請求項２に記載の苗木等保護具。
【請求項４】
前記保護ネットの側面に沿って前記支持材と固定された棒状の支柱を有することを特徴とする請求項１から請求項３のいずれかに記載の苗木等保護具。
【請求項５】
前記第二リングを地面に対し固定可能とする突起部を有する杭を有することを特徴とする請求項１から請求項４のいずれかに記載の苗木等保護具。
【発明の詳細な説明】
【技術分野】
【０００１】
本発明は、苗木又は若木などの樹木の苗を野生動物の食害などから保護し、苗木等の成長促進を図る保護具に関する。
【背景技術】
【０００２】
従来、治水又は治山など国土保全のための官公庁等による植林、または、木材生産のための民間企業等による植林において、苗木又は若木などの樹木の苗を、鹿、ウサギ、猪、ネズミ等の野生動物が食し、苗木等の成長が阻害されることを防止するために種々の試みがなされている。
【０００３】
例えば、特許文献１には、苗木を包囲する筒状で、生分解性繊維等を含有する複合不織布からなる部材を、止め具により補強棒に固定している造林苗木用食害防止具が開示されている。
【０００４】
また、特許文献２には、苗木を包囲する略円錐台状で、所定の強度と通気抵抗を有し、生分解性繊維からなる部材の上端から下端まで平行にリング状の保形骨材により固設した植林苗木用食害防止具が開示されている。
【先行技術文献】
【特許文献】
【０００５】
【特許文献１】特開２００５−２３７２５９
【特許文献２】特開２００２−１７１８０
【発明の概要】
【発明が解決しようとする課題】
【０００６】
しかしながら、先行特許文献１に記載の造林苗木用食害防止具では、風が吹くと生分解性繊維等を含有する複合不織布からなる部材が、風に押されて筒状を維持できず互いに密着してしまい、苗木等の生長を阻害するものであった。
【０００７】
また、先行特許文献２に記載の植林苗木用食害防止具では、風が吹いても生分解性繊維からなる部材の上端から下端まで平行に設けられたリング状の保形骨材により生分解性繊維からなる部材が密着して苗木等の成長を阻害するものではないが、雪が降ると生分解性繊維からなる部材の上端に雪が積もりその重みにリング状の保形骨材が撓んだり傾くなどするため生分解性繊維からなる部材やリング状の保形骨材が苗木等に接触し苗木等の生長を阻害するものであった。
【０００８】
そして、先行特許文献２に記載の植林苗木用食害防止具では、リング状の保形骨材を生分解性繊維からなる部材に固定するために、生分解性繊維からなる部材に保形骨材を挿入する部材を設ける必要があり、コストが上がる要因となっていた。さらに、使用に際して、それぞれの保形骨材を挿入する部材に挿入し、略円錐台状に成形することが手間であった。
【０００９】
そのため、本発明において、苗木又は若木などの樹木の苗が鹿、ウサギ、猪、ネズミ等の野生動物に食されることを防止する苗木等保護具であって、積雪の重みにも苗木等に負荷を掛けない保形性を有し、さらに持ち運ぶことが容易でありながら作業現場において容易に成形することができる苗木等保護具を提供することを目的とする。
【課題を解決するための手段】
【００１０】
（１）すなわち、本発明は、網目を有し縦長筒状又は略円錐台状である形状を有する保護ネットと、前記保護ネットに螺旋状に固定されている支持材とを有することを特徴とする苗木等保護具である。
【００１１】
（２）そして、前記保護ネットの一端部に固定された第一リングと、前記保護ネットの他端部に固定された第二リングと、を有し、前記支持材、前記第一リング及び前記第二リングが一体となっていることを特徴とする前記（１）に記載の苗木等保護具である。
【００１２】
（３）そして、前記支持材が前記保護ネットの内側に固定されていることを特徴とする前記（１）又は前記（２）に記載の苗木等保護具である。
【００１３】
（４）そして、前記保護ネットの側面に沿って前記支持材と固定された棒状の支柱を有することを特徴とする前記（１）から前記（３）のいずれかに記載の苗木等保護具である。
【００１４】
（５）そして、前記第二リングを地面に対し固定可能とする突起部を有する杭を有することを特徴とする前記（１）から前記（４）のいずれかに記載の苗木等保護具である。
【発明の効果】
【００１５】
本発明の苗木等保護具によれば、苗木又は若木などの樹木の苗が鹿、ウサギ、猪、ネズミ等の野生動物に食されることを防止する苗木等保護具であって、積雪の重みにも苗木等に負荷を掛けない保形性を有し、さらに持ち運ぶことが容易でありながら作業現場において容易に成形することができる。
【図面の簡単な説明】
【００１６】
【図１】本発明の一実施例における苗木等保護具の使用状態での上方から見た斜視図である。
【図２】本発明の一実施例における苗木等保護具のＡ部拡大図である。
【図３】本発明の一実施例における苗木等保護具のＢ部拡大図である。
【発明を実施するための形態】
【００１７】
以下、本発明の苗木等保護具に関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。
【００１８】
図１に、本発明の一実施形態の苗木等保護具を示す説明図であって、苗木に対して設置している使用状態を示す。図２に、図１における上部の拡大図を示す。図３に、図１における下部の拡大図を示す。
【００１９】
苗木等保護具Ｉは、苗木ＩＩの外周を縦長筒状の保護ネット１で覆うことにより、鹿、ウサギ、猪、ネズミ等の野生動物が苗木に触れられないようにして、新芽、葉、樹皮などを食べるそれら野生動物の食害から苗木又は若木などの樹木の苗を保護する装置であり、図１に示すように、外周を縦長筒状の保護ネット１と、保護ネット１に面して螺旋状に固定されている支持材２とを有することを特徴としている。
【００２０】
そして、図１に示すように、保護ネット１の一端部である上部に固定された略円環状の第一リング３と保護ネット１の他端部である下部に固定された略円環状の第二リング４とを有し、第一リング３及び第二リング４を支持材２の両端部において一体としている。また、保護ネット１の中心軸と略平行に、保護ネット１の側面に沿って留め具７により支持材２と固定された棒状の支柱５を有している。さらに、保護ネット１の中心軸を挟んで支柱５と反対側に、第二リング４を地面に対し固定可能とする突起部６１を有する杭６を有する。
【００２１】
保護ネット１は、網目を有する縦長筒状の形状を有し、苗木ＩＩを野生動物の食害から保護する部材である。保護ネット１の材質は、天然繊維及び人工繊維などから種々選択されるが、その中でもポリ乳酸、ポリカプロラクトン、ポリヒドロキシアルカノエート、ポリグリコール酸、変性ポリビニルアルコール、カゼインなどの生分解性樹脂であることが好ましい。このように、生分解性樹脂を使用することにより、時間の経過により保護ネット１が分解するため、後々人の手で回収する手間を削減することができる。また、保護ネット１の編み方は、本目網、蛙又網、無結節網、ラッセル網、綟子網、織網など種々の編み方から選択されるが、結節部ないためゴミなどが溜まりにくく強度が高いことからラッセル網が好ましい。保護ネット１の網目の大きさは、０．５〜３ｍｍであることが好ましく、１〜２ｍｍであることがさらに好ましいが、日光を遮り過ぎない程度に大きく、野生動物の口が入りにくい程度に狭ければ特に本実施例の数値範囲に限定されるものではない。
【００２２】
また、保護ネット１の大きさは、中心軸方向、すなわち図１における上下方向の高さが１５００〜１９００ｍｍであること、上部及び下部の開口部の径が２３０〜２９０ｍｍであることが好ましい。この大きさであると野生生物の食害が生じない程度に成長するまで苗木ＩＩを保護することができる。
【００２３】
なお、本実施例において、保護ネット１は縦長筒状の形状を有しているが、上部の開口面積より下部の開口面積が広い略円錐台形状であってもよい。保護ネット１が略円錐台形状であると、必ずしも支柱５をしなくても第二リング４を複数の杭６で固定することにより自立させることができ、本実施例と同様の効果を奏することができる。
【００２４】
支持材２は、保護ネット１の内側に面して螺旋状に留め具７によって固定されており、筒状の保護ネット１の保形性を維持する部材である。さらに、支持材２は螺旋状であるため上下方向に弾性を有することから、積雪の重みにも苗木等に負荷を掛けない保形性を有する。そして、運搬の際には上下方向に押し縮めて運搬し、作業現場では上下方向に伸長させて設置することができるため、持ち運ぶことが容易でありながら作業現場において容易に成形することができる。なお、本実施例において、支持材２は保護ネット１の内側に面して固定されているが、他の実施例において支持材２を保護ネット１の外側に面して固定しても良い。
【００２５】
そして、支持材２の材質は、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましい。
【００２６】
そして、支持材２の螺旋のピッチ（１回転あたりの軸方向、すなわち、上下方向の高さ）は、２５０〜４５０ｍｍであることが好ましく、３００〜４００ｍｍであることが好ましい。この範囲にあると、支持材２が運搬時に運びやすい重さでありながら使用時に十分な保形成性を有する。なお、図１において、支持材２の螺旋は、左手回り（図１における保護ネット１の下方から見て反時計回り）であるが、右手回り（図１においてる保護ネット１の下方から見て時計回り）であってもよい。
【００２７】
第一リング３は、保護ネット１の一端部である上部に固定され、略円環状を有しており、保護ネット１の一端部側を口開きにするための補強部材である。本実施例では、保護ネット１の一端部において、保護ネット１が第一リング３を巻き込み縫合されることにより、第一リング３を固定している。なお、他の実施例において、保護ネット１の一端部と第一リング３とを接着剤、糸、針金などで固定しても良い。
【００２８】
そして、第一リング３は、本実施例において、支持材２の一端が加工されることにより略円環状に形成されており支持材２と一体形成されている。また、他の実施例において、第一リング３を支持材２とは別部材とし、溶接、接着剤等によって第一リング３と支持材２とを一体としてもよい。なお、第一リング３を支持材２と別部材とするときにおける材質は、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましい。
【００２９】
第二リング４は、保護ネット１の他端部である下部に固定され、略円環状を有しており、保護ネット１の他端部側を口開きにするための補強部材である。本実施例では、保護ネット１の他端部において、保護ネット１が第二リング４を巻き込み縫合されることにより、第二リング４を固定している。なお、他の実施例において、保護ネット１の他端部と第二リング４とを接着剤、糸、針金などで固定しても良い。
【００３０】
そして、第二リング４は、本実施例において、支持材２の他端が加工されることにより略円環状に形成されており支持材２と一体形成されている。また、他の実施例において、第二リング４を支持材２とは別部材とし、溶接、接着剤等によって第二リング４と支持材２とを一体としてもよい。なお、第二リング４を支持材２と別部材とするときにおける材質は、ＳＷ−Ｃ(硬鋼線)、ＳＷＰ−Ａ(ピアノ線Ａ種)、ＳＷＰ−Ｂ(ピアノ線Ｂ種)、ＳＵＳ３０４ＷＰＢ(ばね用ステンレス鋼線)などの金属、ＰＰ（ポリプロピレン）、ＡＢＳ（アクリロニトリル−ブタジエン−スチレン共重合体）、ＰＥＴ（ポリエチレンテレフタレート）、ＵＰ（不飽和ポリエステル）、ＰＵＲ（ポリウレタン）、ＰＬＡ（ポリ乳酸）などの樹脂などが好ましい。
【００３１】
支柱５は、保護ネット１の中心軸と略平行に、保護ネット１の外周側面に沿って支持材２と留め具７を介して固定され、棒状を有しており、保護ネット１が安定的に自立することを補助する部材である。図２に示すように、本実施例において、支柱５の一端部である上部には、支柱５を貫通する支柱孔５１と凹状の支柱溝５２を有しており、留め具７が、支柱孔５１を通り第一リング３を巻き込んで支柱溝５２に緩嵌してねじられることにより支柱５と第一リング３を固定している。また、支柱５の他端部である下部は、鋭角な形状を有しており地中に埋め込まれ、支柱５が倒れないように固定される。
【００３２】
また、支柱５の高さは、保護ネット１よりも高くするため１９００〜２３００ｍｍであることが好ましい。また、支柱５の材質は、ステンレスなどの金属、ポリプロピレン、ポリ乳酸などの樹脂であることが好ましい。
【００３３】
杭６は、保護ネット１の中心軸を挟んで支柱５と反対側に、第二リング４を地面に対し固定可能とする突起部６１を有しており、保護ネット１が安定的に自立することを補助する部材である。さらに、図３に示すように、杭６には杭６の鋭角な先端側から突起部６１を有する後端側に向かって開いた平板状のくさび部６２が設けられており、杭６が地面から抜けることを防止している。また、本実施例において、杭６は１本だけ使用しているが、２本以上使用してもよい。
【００３４】
突起部６１は、杭６の鋭角な先端側とは反対の後端側に、第二リング４を通すことができる隙間を有して略コの字状に設けられている。杭６と突起部６１が地中に埋め込まれることにより、杭６と突起部６１との隙間から挿通させた第二リング４を地面に対して固定することができる。なお、本実施例において、突起部６１は略コの字状を有するが、他の実施例において杭６から斜めに棒状に突出する形状を有していてもよく、本実施例と同様に第二リング４を地面に対して固定することができる。
【００３５】
そして、杭６の高さは、支柱５の高さから保護ネット１の高さを差し引いた高さ程度、すなわち、３５０〜４５０ｍｍであることが好ましい。また、杭６の材質は、ステンレスなどの金属、ポリプロピレン、ポリ乳酸などの樹脂であることが好ましい。
【００３６】
留め具７は、金属からなる針金状又は有機繊維からなる紐状の形状を有し、保護ネット１を挟み支持材２と支柱５を固定する部材である。留め具７は、本実施例において、ステンレスなどの金属からなる針金であるが、他の実施例において、ポリ乳酸など生分解性樹脂からなる一部に切欠を有する略円環形状又は略Ω形状を有し、保護ネット１の目開きから通し支持材２と支柱５をワンタッチで固定できるようにしてもよい。
【符号の説明】
【００３７】
１・・・保護ネット
２・・・支持材
３・・・第一リング
４・・・第二リング
５・・・支柱
５１・・支柱孔
５２・・支柱溝
６・・・杭
６１・・突起部
６２・・くさび部
７・・・留め具
Ｉ・・・苗木等保護具
ＩＩ・・苗木
【図１】
2014161302.tif 000003
【図２】
2014161302.tif 000004
【図３】
2014161302.tif 000005